【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
脈波信号を出力する脈波センサーを有する脈波検出部と、
前記脈波検出部を被検体に保持する保持機構と、
前記脈波検出部からの前記脈波信号に基づいて拍動情報を演算し、前記脈波検出部の前記被検体への装着状態が適正か否かを判定し、前記脈波検出部の前記被検体への前記装着状態が適正であると判定された場合に、前記保持機構の保持状態を特定する保持状態特定情報を生成する処理部と、
を含むことを特徴とする脈拍計。
【請求項２】
請求項１において、
前記装着状態は、前記脈波検出部における前記被検体への押圧によって判定されることを特徴とする脈拍計。
【請求項３】
請求項２において、
前記処理部は、
前記脈波信号に基づいて、前記押圧が、適正な前記装着状態に対応する適正押圧であるか否かを判定することを特徴とする脈拍計。
【請求項４】
請求項３において、
前記処理部は、
前記脈波信号のＡＣ成分に対応するＡＣ成分信号、及び前記脈波信号のＤＣ成分に対応するＤＣ成分信号の少なくとも一方の信号に基づいて、前記押圧が前記適正押圧であるか否かを判定することを特徴とする脈拍計。
【請求項５】
請求項４において、
前記処理部は、
前記押圧を変化させた場合の前記ＡＣ成分信号の変化特性に基づいて、前記押圧が前記適正押圧であるか否かを判定することを特徴とする脈拍計。
【請求項６】
請求項５において、
前記処理部は、
前記押圧を変化させた場合の前記ＡＣ成分信号の振幅の前記変化特性に基づいて、前記押圧が前記適正押圧であるか否かを判定することを特徴とする脈拍計。
【請求項７】
請求項４において、
前記処理部は、
前記押圧を変化させた場合の前記ＤＣ成分信号の変化特性に基づいて、前記押圧が前記適正押圧であるか否かを判定することを特徴とする脈拍計。
【請求項８】
請求項７において、
前記処理部は、
前記押圧を変化させた場合の前記ＤＣ成分信号の前記変化特性に基づいて、前記ＤＣ成分信号の変曲点を検出し、検出した前記変曲点に基づいて前記押圧が前記適正押圧であるか否かを判定することを特徴とする脈拍計。
【請求項９】
請求項１乃至８のいずれかにおいて、
前記処理部での処理結果を表示する表示部を含み、
前記処理部は、
前記保持状態特定情報を前記表示部に表示させる制御を行うことを特徴とする脈拍計。
【請求項１０】
請求項９において、
前記処理部は、
前記装着状態の判定用環境の設定指示を行う指示画面を、前記表示部に表示する制御を行うことを特徴とする脈拍計。
【請求項１１】
請求項１０において、
前記処理部は、
前記被検体の体動の安定化を指示する画面を、前記指示画面として前記表示部に表示する制御を行うことを特徴とする脈拍計。
【請求項１２】
請求項１０又は１１において、
前記処理部は、
所与の判定用姿勢を前記被検体にとらせる指示を行う画面を、前記指示画面として前記表示部に表示する制御を行うことを特徴とする脈拍計。
【請求項１３】
請求項１０乃至１２のいずれかにおいて、
前記処理部は、
所与の時間、前記被検体に対して待機を指示する画面を、前記指示画面として前記表示部に表示する制御を行うことを特徴とする脈拍計。
【請求項１４】
請求項１０乃至１３のいずれかにおいて、
前記処理部は、
前記指示画面に表示された前記判定用環境の条件が満たされたか否かの判断を行い、前記条件が満たされたと判断された場合に、前記装着状態が適正であるか否かの判定を行うことを特徴とする脈拍計。
【請求項１５】
請求項１４において、
前記処理部は、
体動センサーからの体動検出信号、及び時間計測部からの時間計測情報の少なくとも一方に基づいて、前記指示画面に表示された前記判定用環境の前記条件が満たされたか否かの判断を行い、前記条件が満たされたと判断された場合に、前記装着状態が適正であるか否かの判定を行うことを特徴とする脈拍計。
【請求項１６】
請求項１乃至１５のいずれかにおいて、
前記処理部が生成した前記保持状態特定情報を記憶する記憶部を含むことを特徴とする脈拍計。
【請求項１７】
請求項１６において、
前記処理部は、
処理モードとして、保持状態特定情報取得モードと、前記拍動情報を演算する拍動情報演算モードを有し、
前記保持状態特定情報取得モードに設定された場合に、前記装着状態が適正であるか否かの判定結果に基づいて前記保持状態特定情報を前記記憶部に記憶し、
前記保持状態特定情報の取得後に前記拍動情報演算モードに設定された場合に、前記記憶部に記憶された前記保持状態特定情報を読み出すことを特徴とする脈拍計。
【請求項１８】
請求項３乃至８のいずれかにおいて、
前記保持機構は、
前記保持状態として、前記脈波検出部における前記被検体への前記押圧が異なる第１〜第Ｎ（Ｎは２以上の整数）の状態をとり、
前記処理部は、
前記第１〜第Ｎの状態の各状態での前記押圧が前記適正押圧であるか否かの判定結果に基づいて、前記第１〜第Ｎの状態のうち少なくとも１つの状態に対応する情報を前記保持状態特定情報として取得することを特徴とする脈拍計。
【請求項１９】
請求項１８において、
前記処理部での処理結果を表示する表示部を含み、
前記処理部は、
第ｉ（ｉは１≦ｉ≦Ｎを満たす整数）の状態での前記押圧が前記適正押圧であるか否かの判定の後に、前記保持機構での前記保持状態を、前記第ｉの状態よりも前記押圧が小さい第ｊ（ｊは１≦ｊ≦Ｎ、ｊ≠ｉを満たす整数）の状態に変更する指示を行う指示画面を前記表示部に表示する制御を行うことを特徴とする脈拍計。
【請求項２０】
脈波センサーを有する脈波検出部と、
前記脈波検出部における被検体への押圧が適正押圧か否かを判定するとともに、前記脈波検出部からの信号に基づいて前記被検体の拍動情報を演算する処理部と、
前記処理部での処理結果を表示する表示部と、
前記処理部での処理結果を記憶する記憶部と、
を含み、
前記処理部は、
前記押圧が前記適正押圧であるか否かの判定用環境の設定指示を行う指示画面を、前記表示部に表示する制御を行うことを特徴とする脈拍計。
【請求項２１】
請求項２０において、
前記処理部は、
前記指示画面に表示された前記判定用環境の条件が満たされたか否かの判断を行い、前記条件が満たされたと判断された場合の前記脈波検出部からの前記信号に基づいて、前記押圧が前記適正押圧であるか否かの判定を行うことを特徴とする脈拍計。
【請求項２２】
脈波信号を出力する脈波センサーを有する脈波検出部と、
前記脈波検出部からの前記脈波信号に基づいて拍動情報を演算し、前記脈波検出部の被検体への装着状態が適正か否かを判定し、前記脈波検出部の前記被検体への前記装着状態が適正であると判定された場合に、前記脈波検出部を前記被検体に保持する保持機構の保持状態を特定する保持状態特定情報を生成する処理部として、
コンピューターを機能させることを特徴とするプログラム。
【請求項２３】
請求項２２において、
前記装着状態は、前記脈波検出部における前記被検体への押圧によって判定されることを特徴とするプログラム。
【請求項２４】
請求項２３において、
前記処理部は、
前記脈波信号に基づいて、前記押圧が、適正な前記装着状態に対応する適正押圧であるか否かを判定することを特徴とするプログラム。
【請求項２５】
請求項２４において、
前記処理部は、
前記脈波信号のＡＣ成分に対応するＡＣ成分信号、及び前記脈波信号のＤＣ成分に対応するＤＣ成分信号の少なくとも一方の信号に基づいて、前記押圧が前記適正押圧であるか否かを判定することを特徴とするプログラム。
【請求項２６】
請求項２２乃至２５のいずれかにおいて、
前記処理部での処理結果を表示する表示部としてコンピューターを機能させ、
前記処理部は、
前記保持状態特定情報を前記表示部に表示させる制御を行うことを特徴とするプログラム。
【請求項２７】
請求項２６において、
前記処理部は、
前記装着状態の判定用環境の設定指示を行う指示画面を、前記表示部に表示する制御を行うことを特徴とするプログラム。
【請求項２８】
請求項２７において、
前記処理部は、
前記被検体の体動の安定化を指示する画面を、前記指示画面として前記表示部に表示する制御を行うことを特徴とするプログラム。
【請求項２９】
請求項２７又は２８において、
前記処理部は、
所与の判定用姿勢を前記被検体にとらせる指示を行う画面を、前記指示画面として前記表示部に表示する制御を行うことを特徴とするプログラム。
【請求項３０】
請求項２７乃至２９のいずれかにおいて、
前記処理部は、
所与の時間、前記被検体に対して待機を指示する画面を、前記指示画面として前記表示部に表示する制御を行うことを特徴とするプログラム。
【請求項３１】
請求項２７乃至３０のいずれかにおいて、
前記処理部は、
前記指示画面に表示された前記判定用環境の条件が満たされたか否かの判断を行い、前記条件が満たされたと判断された場合に、前記装着状態が適正であるか否かの判定を行うことを特徴とするプログラム。
【請求項３２】
請求項３１において、
前記処理部は、
体動センサーからの体動検出信号、及び時間計測部からの時間計測情報の少なくとも一方に基づいて、前記指示画面に表示された前記判定用環境の前記条件が満たされたか否かの判断を行い、前記条件が満たされたと判断された場合に、前記装着状態が適正であるか否かの判定を行うことを特徴とするプログラム。
【請求項３３】
請求項２２乃至３２のいずれかにおいて、
前記処理部が生成した前記保持状態特定情報を記憶する記憶部としてコンピューターを機能させることを特徴とするプログラム。
【請求項３４】
請求項３３において、
前記処理部は、
処理モードとして、保持状態特定情報取得モードと、前記拍動情報を演算する拍動情報演算モードを有し、
前記保持状態特定情報取得モードに設定された場合に、前記装着状態が適正であるか否かの判定結果に基づいて前記保持状態特定情報を前記記憶部に記憶し、
前記保持状態特定情報の取得後に前記拍動情報演算モードに設定された場合に、前記記憶部に記憶された前記保持状態特定情報を読み出すことを特徴とするプログラム。
【請求項３５】
請求項２４又は２５において、
前記保持機構は、
前記保持状態として、前記脈波検出部における前記被検体への前記押圧が異なる第１〜第Ｎ（Ｎは２以上の整数）の状態をとり、
前記処理部は、
前記第１〜第Ｎの状態の各状態での前記押圧が前記適正押圧であるか否かの判定結果に基づいて、前記第１〜第Ｎの状態のうち少なくとも１つの状態に対応する情報を前記保持状態特定情報として取得することを特徴とするプログラム。
【請求項３６】
請求項３５において、
前記処理部での処理結果を表示する表示部を含み、
前記処理部は、
第ｉ（ｉは１≦ｉ≦Ｎを満たす整数）の状態での前記押圧が前記適正押圧であるか否かの判定の後に、前記保持機構での前記保持状態を、前記第ｉの状態よりも前記押圧が小さい第ｊ（ｊは１≦ｊ≦Ｎ、ｊ≠ｉを満たす整数）の状態に変更する指示を行う指示画面を前記表示部に表示する制御を行うことを特徴とするプログラム。
【請求項３７】
脈波センサーを有する脈波検出部と、
前記脈波検出部における被検体への押圧が適正押圧か否かを判定するとともに、前記脈波検出部からの信号に基づいて前記被検体の拍動情報を演算する処理部と、
前記処理部での処理結果を表示する表示部と、
前記処理部での処理結果を記憶する記憶部として、
コンピューターを機能させ、
前記処理部は、
前記押圧が前記適正押圧であるか否かの判定用環境の設定指示を行う指示画面を、前記表示部に表示する制御を行うことを特徴とするプログラム。